(57)【要約】      （修正有）【課題】異なるタイプ構造のプラグを少なくとも２つ同時に使用できる電気コネクター・ハウジング・アッセンブリを提供する。【解決手段】差込み端子を配置するための幾つかの差込み用穴４０２を備えたハウジング４０１、ならびに、ハウジング４０１の後端であって差込み用穴４０２のカバー部分に対して取外し可能に設けられる後端キャップを有して成る電気コネクター・ハウジング・アッセンブリであって、隣接する差込み用穴４０２の間に穴壁４０４が設けられており、穴壁４０４の少なくとも一部にロック用スロット４０８が設けられており、全てのロック用スロット４０８が、差込み端子の接続ラインを受ける伝達長尺溝４１０を形成している。【選択図】図４
0003214630.tif 000002
【実用新案登録請求の範囲】
【請求項１】
電気コネクター・ハウジング・アッセンブリであって、
差込み端子（１００，１２２）を配置するための幾つかの差込み用穴（４０２）を備えたハウジング（４０１）；ならびに
ハウジング（４０１）の後端であって差込み用穴（４０２）のカバー部分に対して取外し可能に設けられる後端キャップ（６００）
を有して成る電気コネクター・ハウジング・アッセンブリ。
【請求項２】
隣接する差込み用穴（４０２）の間に穴壁（４０４）が設けられており；
穴壁（４０４）の少なくとも一部にロック用スロット（４０８）が設けられており、
全てのロック用スロット（４０８）が、差込み端子（１００）の接続ライン（１０１）を受ける伝達長尺溝（４１０）を形成している、請求項１に記載の電気コネクター・ハウジング・アッセンブリ。
【請求項３】
隣接する差込み用穴（４０２）の間に穴壁（４０４）が設けられており；
穴壁（４０４）の少なくとも一部が、差込み端子（１００）の分岐した接続ライン（１３１，１３２）を受けるために薄くされている、請求項１に記載の電気コネクター・ハウジング・アッセンブリ。
【請求項４】
後端キャップ（６００）は、差込み端子（１００，１２０）の固定および支持のために、差込み用穴（４０２）の外側をカバーする、請求項１に記載の電気コネクター・ハウジング・アッセンブリ。
【請求項５】
後端キャップ（６００）の内側には１つ以上のブロック（６０１）が設けられており、該ブロックは、差込み用穴（４０２）から差込み端子（１００，１２０）の引抜きができないように差込み端子（１００，１２０）に対して当接する、請求項４に記載の電気コネクター・ハウジング・アッセンブリ。
【請求項６】
後端キャップ（６００）には少なくとも１つの溝（６０２）が設けられており、差込み端子（１２０）の接続ライン（１２１）が該溝（６０２）を通る、請求項４に記載の電気コネクター・ハウジング・アッセンブリ。
【請求項７】
後端キャップ（６００）のハウジング（４００）への固定化のために、後端キャップ（６００）には固定用構造（６０４，６０５）が設けられており、
前記固定用構造（６０４，６０５）は、ハウジング（４００）に設けられた該固定用構造（６０４，６０５）と対になる固定用構造（７０１，７０２）に適合するようになっている、請求項１に記載の電気コネクター・ハウジング・アッセンブリ。
【請求項８】
ロック用レッグ（６０４，６０５）が、後端キャップ（６００）の両端にそれぞれ設けられており、
ハウジング（４０１）には、保持用ブロック（７０１，７０２）が設けられており、
後端キャップ（６００）の外れ落ちを防止すべくロック用レッグ（６０４，６０５）は保持用ブロック（７０１，７０２）にスナップ・フィットされる、請求項７に記載の電気コネクター・ハウジング・アッセンブリ。
【請求項９】
ロック用レッグ（６０４，６０５）の強度を補強するための補強リブ（６０７，６０８）が、後端キャップ（６００）の両端であってロック用レッグ（６０４，６０５）の内側に設けられている、請求項８に記載の電気コネクター・ハウジング・アッセンブリ。
【請求項１０】
同じ接続部を有する差込み端子（１００，１２０）を受けるため同じ構造を備えた複数の差込み用穴（４０２）が設けられている、請求項１〜９のいずれかに記載の電気コネクター・ハウジング・アッセンブリ。
【請求項１１】
電気コネクターであって、
請求項１、４、５および７〜９のいずれかに記載の電気コネクター・ハウジング・アッセンブリ、ならびに
差込み用穴（４０２）に差し込まれる差込み端子（１００，１２０）
を有して成る、電気コネクター。
【請求項１２】
差込み端子（１００，１２０）は、接続ライン（１０１，１２１）を有して成る、請求項１１に記載の電気コネクター。
【請求項１３】
接続ライン（１０１）は、幅広フラットなライン・ボディを有する、請求項１２に記載の電気コネクター。
【請求項１４】
隣接する差込み用穴（４０２）の間に穴壁（４０４）が設けられており；
ロック用スロット（４０８）が、穴壁の少なくとも一部に形成され、伝達長尺溝（４１０）を形成しており、ならびに
接続ライン（１０１）は、伝達長尺溝（４１０）に設けられる前端（３０１）を有している、請求項１３に記載の電気コネクター。
【請求項１５】
接続ライン（１２１）がＦＦＣワイヤである、請求項１３に記載の電気コネクター。
【請求項１６】
接続ライン（１２１）が円筒形状のライン・ボディを有する、請求項１２に記載の電気コネクター。
【請求項１７】
後端キャップ（６００）に少なくとも１つ溝（６０２）が設けられており、接続ライン（１２１）がロック用スロットを通る、請求項１４に記載の電気コネクター。
【請求項１８】
差込み端子（１００，１２０）には接続部（１０２，１０３，１２２）が設けられており、該接続部（１０２，１０３，１２２）が同一となっている、請求項１１に記載の電気コネクター。
【請求項１９】
差込み端子（１００，１２０）は、第１接続ライン（１０１）および第２接続ライン（１２１）を有して成り、
第１接続ライン（１０１）が幅広フラットなライン・ボディを有し、第２接続ライン（１２１）が円筒形状のライン・ボディを有する、請求項１８に記載の電気コネクター。
【請求項２０】
隣接する差込み用穴（４０２）の間に穴壁（４０４）が設けられており；
ロック用スロット（４０８）が、穴壁の少なくとも一部に形成され、伝達長尺溝（４１０）を形成しており、ならびに
第１接続ライン（１０１）は、伝達長尺溝に設けられる前端（３０１）を有している、請求項１９に記載の電気コネクター。
【請求項２１】
後端キャップ（６００）には少なくとも１つ溝（６０２）が設けられており、および
第２接続ライン（１２１）がロック用スロットを通る、請求項２０に記載の電気コネクター。
【考案の詳細な説明】
【技術分野】
【０００１】
本開示は、電気コネクターに一般に関する。より特には、本開示は、種々の差込み端子に適合する電気コネクターに関する。
【背景技術】
【０００２】
電気コネクターの分野では、種々の（異なる）ライン・タイプの接続ラインは回路接続に通常使用されている。伝統的な電気コネクター・ソケットは、１つのライン・タイプの差込み端子への適合のみができるようになっている。異なるライン・タイプの差込み端子が同時に用いられる場合、種々のソケットの電気接続が１つの電気ボックスに取り付けられる必要があるので、構造が複雑となり、適合性が不十分となる。
【考案の概要】
【考案が解決しようとする課題】
【０００３】
本考案（発明）の目的は、上記の技術的な課題を解決すべく、異なるライン・タイプ構造のプラグを少なくとも２つ同時に使用し得る電気コネクター・ハウジング・アッセンブリおよび電気コネクターを提供することである。
【課題を解決するための手段】
【０００４】
本考案（発明）の１つの態様では、電気コネクター・ハウジング・アッセンブリ（electrical connector housing assembly）であって、
差込み端子（またはプラグ・フィットされる端子、plug-fitted terminal）を配置するための幾つかの差込み用穴（またはプラグ・フィットのための穴、plug-fitting hole）を備えたハウジング；ならびに
ハウジングの後端であって差込み用穴のカバー部分（または差込み用穴の全て）に対して取外し可能に設けられる後端キャップ（または後側の端部のためのキャップ、rear-end cap）
を有して成る電気コネクター・ハウジング・アッセンブリが提供される。
【０００５】
電気コネクター・ハウジング・アッセンブリの好適な態様では、隣接する差込み用穴の間に穴壁（hole wall）が設けられており；穴壁の少なくとも一部にロック用スロット(locking slot)が設けられており、そして、全てのロック用スロットが、差込み端子の接続ラインを受ける伝達長尺溝（または伝達用細長い溝もしくは通信用長尺溝、communicative elongated groove）を形成している（または成している）。
【０００６】
電気コネクター・ハウジング・アッセンブリの別の好適な態様では、隣接する差込み用穴の間に穴壁が設けられており；穴壁の少なくとも一部が、差込み端子の分岐した接続ラインを受けるために薄く（thin）されている。
【０００７】
電気コネクター・ハウジング・アッセンブリの更に別の好適な態様では、後端キャップは、差込み端子の固定（または取付け）および支持のために、差込み用穴の外側をカバーする。好ましくは、後端キャップの内側には１つ以上のブロック（または塊部材もしくは角材状部材、block）が設けられており、該ブロックは、差込み用穴からの差込み端子の引抜きができないように差込み端子に当接する。より好ましくは、後端キャップには少なくとも１つの溝が設けられており、差込み端子の接続ラインは該溝を通る（または通過する）。
【０００８】
電気コネクター・ハウジング・アッセンブリの別の態様では、後端キャップには固定用構造（または取付け構造、fixing structure）が設けられており、それによって、当該固定用構造はハウジングに設けられた対の固定用構造に適合し、後端キャップのハウジングへの固定化（または取付け）がなされる。好ましくは、ロック用レッグ（またはロック脚部、locking leg）が、後端キャップの両端（または２つの端部）にそれぞれ設けられており、ハウジングには保持用ブロック（または保持用塊部材もしくは保持用角材状部材、retaining block）が設けられており、後端キャップの外れ落ちを防止すべくロック用レッグと保持用ブロックとがスナップ・フィットされる。より好ましくは、ロック用レッグの強度を補強する（または補う）ための補強リブが、後端キャップの両端であってロック用レッグの内側に設けられている。
【０００９】
上述の電気コネクター・ハウジング・アッセンブリの幾つかの態様では、同じ接続部（または接続部分、connecting portion）を有する差込み端子を受けるため同じ構造を備えた複数の差込み用穴が設けられている。
【００１０】
また、本考案（発明）の別の態様では、上述の電気コネクター・ハウジング・アッセンブリ、ならびに、差込み用穴に差し込まれる（またはプラグ・フィットされる、plug-fitted）差込み端子を有して成る、電気コネクターも更に提供される。
【００１１】
電気コネクターの好適な態様では、差込み端子は、接続ラインを有して成る。好ましくは、接続ラインは、幅広フラットなライン・ボディ（または広い幅寸法の平らなラインボディ、wide-flat line body）を有する。より好ましくは、隣接する差込み用穴の間に穴壁が設けられており；ロック用スロットは、穴壁の少なくとも一部に設けられ、全てのロック用スロットが伝達長尺溝を形成しており、ならびに、接続ラインは、伝達長尺溝に設けられる前端を有している。更により好ましくは、接続ラインがＦＦＣワイヤである。
【００１２】
電気コネクターの別の好適な態様では、接続ラインが円筒形状のライン・ボディを有する。好ましくは、後端キャップには少なくとも１つ溝が設けられており、接続ラインがロック用スロットを通るようになっている。
【００１３】
電気コネクターの更に別の好適な態様では、差込み端子には接続部が設けられており、該接続部が同一となっている。好ましくは、差込み端子は、第１接続ラインおよび第２接続ラインを有して成り、第１接続ラインが幅広フラットなライン・ボディを有し、第２接続ラインが円筒形状のライン・ボディを有する。より好ましくは、隣接する差込み用穴の間に穴壁が設けられており；ロック用スロットは、穴壁の少なくとも一部に設けられ、全てのロック用スロットが伝達長尺溝を形成しており、ならびに、第１接続ラインは、伝達長尺溝に設けられる前端を有している。
【００１４】
電気コネクターの別のより好適な態様では、後端キャップには少なくとも１つ溝が設けられており、および、第２接続ラインがロック用スロットを通る。
【考案の効果】
【００１５】
本開示の電気コネクター・ハウジング・アッセンブリに従えば、以下の事項によって、かかる電気コネクター・ハウジング・アッセンブリおよび電気コネクターが、種々の（異なる）ライン・ボディ構造の３つの差込み端子に同時適合されることが可能となる：
・差込み用穴の列の間の穴壁にロック用スロットが供されている（全てのロック用スロットが伝達長尺溝を形成し、その伝達長尺溝が、前端にて枝分かれしていない幅広フラットなライン・ボディの差込み端子を受容し得る）；
・差込み用穴の間の穴壁が薄くアレンジされており、それによって、前端にて枝分かれした幅広フラットなライン・ボディの差込み端子を受容する；
・円筒形状のライン・ボディ構造の差込み端子を単一の差込み用穴に差し込む；
・幅広フラットなライン・ボディの差込み端子が挿入される構成を有する列を成す差込み用穴が設けられている。
【図面の簡単な説明】
【００１６】
【図１Ａ】図１Ａは、幅広フラットなライン・ボディの差込み端子の構造図である。幅広フラットなライン・ボディには本開示の電気コネクター・ハウジング・アッセンブリが適合される。
【００１７】
【図１Ｂ】図１Ｂは、円筒形状のライン・ボディ構造の差込み端子の構造図である。円筒形状のライン・ボディ構造には本開示の電気コネクター・ハウジング・アッセンブリが適合される。
【００１８】
【図１Ｃ】図１Ｃは、別の幅広フラットなライン・ボディ構造の差込み端子の構造図である。別の幅広フラットなライン・ボディ構造には本開示の電気コネクター・ハウジング・アッセンブリが適合される。
【００１９】
【図２Ａ】図２Ａは、円筒形状のライン・ボディ構造の差込み端子に適合できる既存の電気コネクター・ハウジング・アッセンブリの構造図である。
【００２０】
【図２Ｂ】図２Ｂは、差込み端子とアッセンブリされた図２Ａの電気コネクター・ハウジング・アッセンブリの組合せ図である。
【００２１】
【図３Ａ】図３Ａは、幅広フラットなライン・ボディ構造の差込み端子に適合できる既存の電気コネクター・ハウジング・アッセンブリの構造図である。
【００２２】
【図３Ｂ】図３Ｂは、差込み端子とアッセンブリされた図３Ａの電気コネクター・ハウジング・アッセンブリの組合せ図である。
【００２３】
【図４】図４は、本開示の電気コネクター・ハウジング・アッセンブリの構造立体図である。
【００２４】
【図５】図５は、本開示の電気コネクター・ハウジング・アッセンブリの構造立体図であり、異なるライン・タイプの３つの差込み端子が差し込まれた状態（後端キャップは取り付けられていない状態）を示している。
【００２５】
【図６Ａ】図６Ａは、本開示の電気コネクター・ハウジング・アッセンブリの後端キャップの前方側の構造立体図である。
【図６Ｂ】図６Ｂは、本開示の電気コネクター・ハウジング・アッセンブリの後端キャップの後方側の構造立体図である。
【００２６】
【図７Ａ】図７Ａは、本開示の電気コネクター・ハウジング・アッセンブリの部分展開立体図であり、異なるライン・タイプの３つの差込み端子が差し込まれた状態を示している。
【００２７】
【図７Ｂ】図７Ｂは、図７Ａのアッセンブリされた電気コネクターの構造立体図である。
【００２８】
【図７Ｃ】図７Ｃは、図７Ｂの電気コネクター・ハウジング・アッセンブリの差込み用穴へと差込み端子が差し込まれた後の線Ａ−Ａの断面図である。
【００２９】
【図７Ｃ】図７Ｃは、図７Ｂの電気コネクター・ハウジング・アッセンブリの差込み用穴へと差込み端子が差し込まれた後の線Ａ−Ａの断面図である。
【００３０】
【図７Ｄ】図７Ｄは、図７Ｂの電気コネクターの線Ｂ−Ｂの断面図である。
【００３１】
【図７Ｅ】図７Ｅは、図７Ｂの電気コネクター・ハウジング・アッセンブリの線Ｂ−Ｂの断面図である。
【考案を実施するための形態】
【００３２】
好適な態様の詳細な説明
明細書の一部を構成する添付図面を参照して、本開示の種々の具体的な態様について説明する。本開示の種々の例示的構造のパーツおよび要素が、「前」、「後」、「上」、「下」、「左」および「右」などの方向を示す用語を用いて説明されているものの、本明細書で用いられる用語は、例示のために便宜上で用いているにすぎず、図面に示される例示的な向きに基づいて決定されることに留意されたい。本明細書で開示される態様は異なる方向に従って配置され得るので、方向を示す上記用語は単に例示であり、限定的なものとしてみなされるべきではない。想定ケースでは、本開示では同じまたは同様の参照番号が同じ要素に対して用いられている。
【００３３】
図１Ａおよび１Ｂは、第１の幅広フラットなライン・ボディ構造および円筒形状のライン・ボディ構造の差込み端子の構造図である。幅広フラットなライン・ボディ構造および円筒形状のライン・ボディ構造には本開示の電気コネクターが適合される。図１Ｃは、別の幅広フラットなライン・ボディ構造の差込み端子の構造図である。かかる別の幅広フラットなライン・ボディ構造には本開示の電気コネクターが適合される。
【００３４】
図１Ａに示すように、幅広フラットなライン・ボディ構造の差込み端子１００は、接続部分１１１．１および１１１．２ならびに接続ライン１０１を有している。図示される例では、接続ライン１０１は、幅広いライン・ボディを有している。本開示の好適な態様では、接続ライン１０１はフレキシブルなフラットケーブル（ＦＦＣ）またはフレキシブルな印刷回路版（ＦＰＣ）である。接続ライン１０１は、一体的にプレス（加圧処理）された複数のワイヤ（図１Ａに示される２つのストランド）（かかるワイヤの束）から構成された幅広フラットなライン・ボディ構造である。図１Ａは、１つのライン・ボディが接続ライン１０１の前端で枝分かれした接続部１１１．１および１１１．２によって２つのプラグ１０２および１０３とそれぞれ接続されている。実際には、複数のストランドのワイヤを一体的にプレスすることによって、複数のプラグが同時に接続され得る。これらプラグは、電気コネクター内に同時にプラグされる（または差し込まれるもしくは詰められる／埋められる）ことが必要である。
【００３５】
図１Ｂの差込み端子１２０は、接続部１２３および接続ライン１２１を有している。図示される例では、接続ライン１２１は円筒形状のライン・ボディ構造であり、各プラグに対して単一の接続ライン１２１のみが設けられている。
【００３６】
図１Ｃの差込み端子１３０は、幅広フラットなライン・ボディ構造を有しており、接続ライン１３１の前方端の接続部１３２が複数のプラグ１３３．１，１３３．２などと接続される際に枝分かれせず、その一方で接続部１３２の端部から出るように突出するリードがプラグに直接的に接続される一体的な構造を形成しているといったこと以外では、
接続ライン１３１は差込み端子１００のものと同一となっている。
【００３７】
図２Ａは、円筒形状のライン・ボディ構造の差込み端子に適用可能な既存の電気コネクター・ハウジング・アッセンブリの構造図である。図２Ｂは、差込み端子とアッセンブリされた図２Ａの電気コネクター・ハウジング・アッセンブリの組合せ図である。
【００３８】
図２Ａに示すように、電気コネクター・ハウジング・アッセンブリ２２０は、受けキャビティと共に形成されたハウジング２０１を有して成り、差込み用穴２２１の上方列および差込み用穴２２１の下方列がハウジング２０１の一方のサイドに形成されている。図１Ｂの差込み端子１２０のプラグ１２２は、その複数が差込み用穴２２１内へとそれぞれ差し込まれ得る。すなわち、図２Ｂに示すように差し込まれる。差込み用穴２２１は２列で供されている。その各々の列が６つの差込み用穴を有しているところ、１つの差込み端子が各々の差込み用穴に差し込まれるようになっている。これにより、全部で１２個の差込み端子が差込み用穴の２つの列にそれぞれ差し込まれる。
【００３９】
図３Ａは、幅広フラットなライン・ボディ構造の差込み端子に適合できる既存の電気コネクターの構造図である。図３Ｂは、差込み端子とアッセンブリされた図３Ａの電気コネクター・ハウジング・アッセンブリの組合せ図（アッセンブリされた図）である。
【００４０】
図３Ａおよび図３Ｂに示すように、電気コネクター・ハウジング・アッセンブリ３００は、図１Ｃに示すような幅広フラットなライン・ボディ構造の差込み端子１３０に適用でき、図示する電気コネクター・ハウジング・アッセンブリ３００は、２つの３ピン差込み端子１３０を挿入するために利用することができる。電気コネクター・ハウジング・アッセンブリ３００の差込み用穴は、差込み端子１００，１３０の幅広フラットなライン・ボディ構造のライン・ボディ１３１に適用可能な伝達構造（または通信用構造もしくは伝達・通信のための構造、communicative structure）を有している。実際には、図１Ａに示す幅広フラットなライン・ボディ構造の差込み端子１３０が差し込まれ得る。
【００４１】
しかしながら、図２Ａおよび２Ｂに示される電気コネクター・ハウジング・アッセンブリ２２０は、幅広フラットなライン・ボディ構造の差込み端子１００および１３０に適用できない。図３Ａおよび３Ｂに示される電気コネクター・ハウジング・アッセンブリ３００は、円筒形状のライン・ボディ構造の差込み端子１２０に適用できない。３つ（または２つ）の異なる差込み端子が同時に差し込みされる場合、新規な電気コネクター・ハウジング・アッセンブリ（図４に示すような電気コネクター・ハウジング・アッセンブリ）を供することが必要である。
【００４２】
図４は、本開示の電気コネクター・ハウジング・アッセンブリの構造立体図である。
【００４３】
図４に示すように、電気コネクター・ハウジング・アッセンブリ４００は、受けキャビティ（または受容用の空間、receiving cavity）を有するように形成されたハウジング４０１を有して成る。差込み用穴４０２の列はハウジング４０１のサイド（または側方）に設けられている。かかる差込み用穴４０２の列は、上述の差込み端子１２０および１３０を差し込むためのものである。差込み端子（１２０および１３０）は、受けキャビティの内側に回路と共に相互に差し込まれることになるように、差込み用穴４０２から受けキャビティ内へと差し込まれる。
【００４４】
複数の差込み用穴４０２は互いに隣接している。隣り合う差込み用穴４０２の間に穴壁４０４が設けられている。円筒形状のライン・ボディー構造の１つの差込み端子１２０は、各々の差込み用穴に差し込まれ得るものの、穴壁４０４のブロックに起因して、幅広フラットなライン・ボディ構造の差込み端子１００は差し込むことができない。それゆえ、ロック用スロット４０８が、同じ列にて同じ高さで穴壁４０４に設けられており、全てのロック用スロット４０８が、伝達長尺溝４１０を形成し、かかるポイントで幅広フラットなライン・ボディ構造の差込み端子１３０が差込み用穴４０２内に差し込まれ得、差込み端子１３０の幅広フラットなライン・ボディ１３１を伝達長尺溝４１０がちょうど受け得ることになる。異なる構造の２つの差込み端子１２０および１３０は、電気コネクター・ハウジング・アッセンブリ４００内へと同時に差し込まれ得る。具体的な状況は図５に示されている。
【００４５】
付加的に、差込み用穴４０２が、図１Ａの幅広フラットなライン・ボディ構造の差込み端子１００と共に差し込まれることが必要な場合、差込み端子１００は枝分かれの接続部１１１．１と１１１．２とを有するので、その枝分かれの接続部と接触している同じ列の穴壁４０４の領域のみが薄くされる必要があり、前端で枝分かれした差込み端子１００が、差込み用穴４０２内へと差し込まれ得る。例示説明の便宜のため、かかる設計は、電気コネクター・ハウジング・アッセンブリ４００の上方部分の両サイド（２つの側方）に設けられた差込み用穴４１０に示されている。図面においては、隣接する差込み用穴４１０の間において穴壁４１１の中間部で薄くされた壁が設けられており、差込み端子１００の接続部分１１１．１，１１１．２が差し込まれるのを助力する。
【００４６】
差込み用穴４２０の薄くされた穴壁の設計は、前端で枝分かれした幅広フラットなライン・ボディ構造の差込み端子１００に適応しており、長尺溝４１０と共に供されている差込み用穴４０２は、枝分かれしていない幅広フラットなライン・ボディ構造の差込み端子１３０に適応しており、そして、単一の差込み用穴４２０．１は、円筒形状のライン・ボディー構造の差込み端子１２０を差し込むのに適応している、といったことが理解できる事項である。実際には、図７Ｃに示すように、前端で枝分かれした幅広フラットなライン・ボディ構造の差込み端子１００を適合することになるように、薄くされた穴と共に差込み用穴４０２が供されていてよい。
【００４７】
図５は、本開示の電気コネクター・ハウジング・アッセンブリの構造立体図であり、異なるライン・タイプの３つの差込み端子が差し込まれた状態（後端キャップは取り付けられていない状態）を示した構造立体図である。
【００４８】
図５に示すように、幅広フラットなライン・ボディ構造の複数の差込み端子１３０は、電気コネクター・ハウジング・アッセンブリ４００の差込み用穴４０２内に差し込まれる。円筒形状のライン・ボディー構造の差込み端子１２０は、図面にて左下コーナーの差込み用穴４０２．１に差し込まれ、それによって、異なるライン・タイプの差込み端子の同時差し込みが可能となる。幅広フラットなライン・ボディ構造の２つの差込み端子１００は、電気コネクター・ハウジング・アッセンブリ４００の右上コーナーの差込み用穴４２０に差し込まれる。
【００４９】
図６Ａおよび図６Ｂは、それぞれ、本開示の電気コネクターの後端キャップの前方および後方の構造立体図である。
【００５０】
電気コネクター・ハウジング・アッセンブリ４００は、後端キャップ６００を更に有して成る。差込み端子１２０，１３０が電気コネクター・ハウジング・アッセンブリ４００に差し込まれた後、電気コネクター・ハウジング・アッセンブリ４００が封入される必要があり、その間にて（またはその一方で）、差込み端子１２０が電気コネクター・ハウジング・アッセンブリ４００に固定される。本開示は、図６Ａおよび図６Ｂに示すような後端キャップ６００を更に供する。図６Ａおよび図６Ｂは、後端キャップの前方および後方の立体図を示している。
【００５１】
後端キャップは、差込み用穴４０２が設けられたハウジング４０１のサイド（または側方）をカバーしており、差込み端子１２０，１３０が補強されるようになっている。
【００５２】
後端キャップ６００の内側の形状が、差込み端子が差し込まれた後にて差込み用穴４０２の形状に適合できるようになっており、ブロック６０１の２つの列は後端キャップ６００の内側に設けられており、そして、ブロック６０１は、差込み端子１２０，１３０が差込み用穴４０２に差し込まれた後に残された隙間に差し込まれ、それにより、差込み端子１２０，１３０が差込み用穴４０２から緩まないようになっている、といったことが図６Ａから理解できる。
【００５３】
後端キャップ６００の両端（２つの端）には、ロック用レッグ６０４およびロック用レッグ６０５がそれぞれ設けられている。補強リブ６０７および６０８が、後端キャップ６００の両端のロック用レッグ６０４およびロック用レッグ６０５の内側に設けられており、ロック用レッグ６０４およびロック用レッグ６０５の強度が補強されるようになっている。
【００５４】
図６Ｂに示すように、後端キャップ６００には、円筒形状のライン・ボディー構造の差込み端子１２０の位置に基づいた溝６０２が更に設けられており、それによって、円筒形状のライン・ボディー構造の差込み端子１２０の円筒形状ライン・ボディ１２１が溝６０２を通るようになっている。
【００５５】
図７Ａは、本開示の電気コネクター・ハウジング・アッセンブリの部分展開立体図であり、異なるライン・タイプの３つの差込み端子が差し込まれた状態を示している。図７Ｂは、図７Ａの種々の要素が完成にアッセンブリされた状態を示す構造立体図である。
【００５６】
図７Ａに示すように、電気コネクター・ハウジング・アッセンブリ４００のハウジング４０１の両サイド（一方のサイドのみで他方のサイドは示されていない）に保持用ブロック７０１がそれぞれ設けられている。後端キャップの外れ落ち（または抜け落ちもしくは離れ落ち）が防止されるように、後端キャップ６００のロック用レッグ６０４および６０５は保持用ブロック７０１にスナップ・フィットされ得、それによって、後端キャップがハウジング４０１にしっかりと固定される。
【００５７】
図７Ａおよび図７Ｂに示すように、後端キャップ６００によってカバーされる位置は、差込み端子１２０および差込み端子１３０がハウジング４０１の一方のサイドに差し込まれた後に残される空間である。後端キャップ６００は、フラットなライン・ボディの接続ライン１３１，１２１へのサポートを供し、それによって、接続ラインに対して垂直な主たる面での接続ライン１３１および１２１のスイング、すなわち、図面にて垂直方向に沿ったスイング（swing）に際して引き起こされる端子１０２，１０３の接続信号の一時的な中断を防止したり、１０１の過度なスイングに起因した信号伝達における端子１２０,１３０への影響（または衝撃）を回避したりされる。
【００５８】
例えば、本開示において、円筒形状のライン・ボディを有する第２接続ライン１２１の差込み端子１２０のみが電気コネクター・ハウジング・アッセンブリ４００の左下コーナーに差し込まれ、後端キャップ６００の溝６０２が、差込み端子１２０のワイヤが導出される場所に対応するように配置される。実際には、円筒形状のライン・ボディー構造の差込み端子１２０は、ニーズに応じて差込み用穴４０２の異なる位置にて設計されていてもよく、その数は１つに限らない。さらには、後端キャップ６００における溝６０２の数および位置もまた適合されるものであってよい。
【００５９】
図７Ｃは、図７Ｂの電気コネクター・ハウジング・アッセンブリ４００の差込み用穴４０２に差込み端子１００が差し込まれた後の断面図（線Ａ−Ａに沿って切り取った断面図）である。図７Ｃは、図７Ｂの電気コネクター・ハウジング・アッセンブリ４００の差込み用穴４０２へと差込み端子１３０が差し込まれた後の断面図（線Ａ−Ａに沿って切り取った断面図）である。
【００６０】
差込み用穴４０２には、薄くされた穴壁４１１が設けられており、差込み端子１００の接続部１１１．１，１１１．２が枝分かれしており、それによって、薄くされた穴壁４１１が、接続部１１１．１，１１１．２の枝に正確に差し込まれる、といったことが図７Ｃから理解される。
【００６１】
図７Ｃにおいて、差込み用穴４０２の穴壁４１１には、伝達長尺溝４１０を形成するロック用スロット４０８が設けられており、差込み端子１３０の前端部１３２が細長溝４１０に全体的に差し込まれる。
【００６２】
図７Ｅは、図７Ｂの電気コネクター・ハウジング・アッセンブリの断面図（線Ｂ−Ｂに沿って切り取った断面図）である。
【００６３】
図７Ｅの断面図では、差込み端子１３０が差込み用穴４０２に差し込まれた後に残る隙間に後端キャップ６００のブロック６０１が差し込まれ、それによって、差込み端子１３０が差込み用穴４０２から緩まないようになっている。
【００６４】
図面で示される特定の態様を参照して本開示を説明してきたが、本開示の電気コネクターは、本開示の思想、範囲およびバックグランドから逸脱することなく、種々の改変態様（例えば、円筒形状のライン・ボディー構造および幅広フラットなライン・ボディ構造などの差込み端子を配置するための位置などの改変態様）を有し得ることを理解されたい。また、当業者であれば、本開示によって示されている態様のパラメータは、種々に変更してよく、それらが全て添付の実用新案登録請求の範囲および本開示の概念および範囲内とな成り得ることを理解されるであろう。
【図１Ａ】
0003214630.tif 000003
【図１Ｂ】
0003214630.tif 000004
【図１Ｃ】
0003214630.tif 000005
【図２Ａ】
0003214630.tif 000006
【図２Ｂ】
0003214630.tif 000007
【図３Ａ】
0003214630.tif 000008
【図３Ｂ】
0003214630.tif 000009
【図４】
0003214630.tif 000010
【図５】
0003214630.tif 000011
【図６Ａ】
0003214630.tif 000012
【図６Ｂ】
0003214630.tif 000013
【図７Ａ】
0003214630.tif 000014
【図７Ｂ】
0003214630.tif 000015
【図７Ｃ】
0003214630.tif 000016
【図７Ｄ】
0003214630.tif 000017
【図７Ｅ】
0003214630.tif 000018
【手続補正書】
【提出日】平成29年11月27日(2017.11.27)
【手続補正１】
【補正対象書類名】実用新案登録請求の範囲
【補正対象項目名】全文
【補正方法】変更
【補正の内容】
【実用新案登録請求の範囲】
【請求項１】
電気コネクター・ハウジング・アッセンブリであって、
差込み端子（１００，１２２）を配置するための幾つかの差込み用穴（４０２）を備えたハウジング（４０１）；ならびに
ハウジング（４０１）の後端であって差込み用穴（４０２）のカバー部分に対して取外し可能に設けられる後端キャップ（６００）
を有して成る電気コネクター・ハウジング・アッセンブリ。
【請求項２】
隣接する差込み用穴（４０２）の間に穴壁（４０４）が設けられており；
穴壁（４０４）の少なくとも一部にロック用スロット（４０８）が設けられており、
全てのロック用スロット（４０８）が、差込み端子（１００）の接続ラインを受ける伝達長尺溝（４１０）を形成している、請求項１に記載の電気コネクター・ハウジング・アッセンブリ。
【請求項３】
隣接する差込み用穴（４０２）の間に穴壁（４０４）が設けられており；
穴壁（４０４）の少なくとも一部が、差込み端子（１００）の分岐した接続ラインを受けるために薄くされている、請求項１に記載の電気コネクター・ハウジング・アッセンブリ。
【請求項４】
後端キャップ（６００）は、差込み端子（１００，１２０）の固定および支持のために、差込み用穴（４０２）の外側をカバーする、請求項１に記載の電気コネクター・ハウジング・アッセンブリ。
【請求項５】
後端キャップ（６００）の内側には１つ以上のブロック（６０１）が設けられており、該ブロックは、差込み用穴（４０２）から差込み端子（１００，１２０）の引抜きができないように差込み端子（１００，１２０）に対して当接する、請求項４に記載の電気コネクター・ハウジング・アッセンブリ。
【請求項６】
後端キャップ（６００）には少なくとも１つの溝（６０２）が設けられており、差込み端子（１２０）の接続ラインが該溝（６０２）を通る、請求項４に記載の電気コネクター・ハウジング・アッセンブリ。
【請求項７】
後端キャップ（６００）のハウジング（４００）への固定化のために、後端キャップ（６００）には固定用構造（６０４，６０５）が設けられており、
前記固定用構造（６０４，６０５）は、ハウジング（４００）に設けられた該固定用構造（６０４，６０５）と対になる固定用構造（７０１，７０２）に適合するようになっている、請求項１に記載の電気コネクター・ハウジング・アッセンブリ。
【請求項８】
前記固定用構造（６０４，６０５）としてロック用レッグが、後端キャップ（６００）の両端にそれぞれ設けられており、
ハウジング（４０１）には、前記対になる固定用構造（７０１，７０２）として保持用ブロックが設けられており、
後端キャップ（６００）の外れ落ちを防止すべくロック用レッグは保持用ブロックにスナップ・フィットされる、請求項７に記載の電気コネクター・ハウジング・アッセンブリ。
【請求項９】
ロック用レッグの強度を補強するための補強リブ（６０７，６０８）が、後端キャップ（６００）の両端であってロック用レッグの内側に設けられている、請求項８に記載の電気コネクター・ハウジング・アッセンブリ。
【請求項１０】
同じ接続部を有する差込み端子（１００，１２０）を受けるため同じ構造を備えた複数の差込み用穴（４０２）が設けられている、請求項１〜９のいずれかに記載の電気コネクター・ハウジング・アッセンブリ。
【請求項１１】
電気コネクターであって、
請求項１、４、５および７〜９のいずれかに記載の電気コネクター・ハウジング・アッセンブリ、ならびに
差込み用穴（４０２）に差し込まれる差込み端子（１００，１２０）
を有して成る、電気コネクター。
【請求項１２】
差込み端子（１００，１２０）は、接続ラインを有して成る、請求項１１に記載の電気コネクター。
【請求項１３】
接続ラインは、幅広フラットなライン・ボディを有する、請求項１２に記載の電気コネクター。
【請求項１４】
隣接する差込み用穴（４０２）の間に穴壁（４０４）が設けられており；
ロック用スロット（４０８）が、穴壁の少なくとも一部に形成され、伝達長尺溝（４１０）を形成しており、ならびに
接続ラインは、伝達長尺溝（４１０）に設けられる前端（３０１）を有している、請求項１３に記載の電気コネクター。
【請求項１５】
接続ラインがＦＦＣワイヤである、請求項１２に記載の電気コネクター。
【請求項１６】
接続ラインが円筒形状のライン・ボディを有する、請求項１２に記載の電気コネクター。
【請求項１７】
後端キャップ（６００）に少なくとも１つ溝（６０２）が設けられており、接続ラインがロック用スロットを通る、請求項１４に記載の電気コネクター。
【請求項１８】
差込み端子（１００，１２０）には接続部（１０２，１０３，１２２）が設けられており、該接続部（１０２，１０３，１２２）が同一となっている、請求項１１に記載の電気コネクター。
【請求項１９】
差込み端子（１００，１２０）は、第１接続ラインおよび第２接続ラインを有して成り、
第１接続ラインが幅広フラットなライン・ボディを有し、第２接続ラインが円筒形状のライン・ボディを有する、請求項１８に記載の電気コネクター。
【請求項２０】
隣接する差込み用穴（４０２）の間に穴壁（４０４）が設けられており；
ロック用スロット（４０８）が、穴壁の少なくとも一部に形成され、伝達長尺溝（４１０）を形成しており、ならびに
第１接続ラインは、伝達長尺溝に設けられる前端（３０１）を有している、請求項１９に記載の電気コネクター。
【請求項２１】
後端キャップ（６００）には少なくとも１つ溝（６０２）が設けられており、および
第２接続ラインがロック用スロットを通る、請求項２０に記載の電気コネクター。
【手続補正２】
【補正対象書類名】明細書
【補正対象項目名】００２９
【補正方法】削除
【補正の内容】